【手続補正書】
【提出日】平成23年8月8日(2011.8.8)
【手続補正１】
【補正対象書類名】明細書
【補正対象項目名】００１９
【補正方法】変更
【補正の内容】
【００１９】
第１の態様において、本発明は、ドリルストリング、又は少なくともドリルストリングのドリルヘッド又はビット、或いは、これらの両方を回転させるべく動作可能であり、且つ、ドリルヘッド又はビットに対して軸方向において振動を提供するべく動作可能である、ドリルストリングを具備するタイプのボーリング装置であって、前述の振動を提供する振動装置がドリルストリングの一部として又はドリルストリング内に配置されることを特徴とし、且つ、前述の装置は、相互に作用する磁気アレイを具備し、第１アレイ又はアレイの組（「１つ又は複数の第１アレイ」）を有する少なくとも１つのアセンブリ（「１つ又は複数の第１アセンブリ」）が存在し、且つ、第２アレイ又は第２のアレイの組（「１つ又は複数の第２アレイ」）を有する少なくとも１つのアセンブリ（「１つ又は複数の第２アセンブリ」）が存在し、この結果、１つ又は複数の第１アレイ及び１つ又は複数の第２アレイが、前述の１つ又は複数の第１アレイ及び前述の１つ又は複数の第２アレイの間の相対回転に応答して相互作用し、１つ又は複数の第２アレイとの関係における１つ又は複数の第１アレイのシャトリング、又はこの逆のシャトリング、或いは、これらの両方のシャトリングと、従って、それらのそれぞれの支持アセンブリのシャトリングと、を引き起こすことを更なる特徴とし、且つ、前述の１つ又は複数の第１及び第２アセンブリの一方又は他方、或いは、１つ又は複数の第１及び第２アセンブリの両方に対する機械的入力によって相対回転を生成することが可能であることを更なる特徴とし、且つ、ドリルストリングが回転した際に、１つ又は複数の第１及び第２アレイ及びその１つ又は複数のアセンブリの少なくとも一方がドリルストリングと同期して回転運動することを更なる特徴とし、且つ、ドリルヘッド又はビットは、１つ又は複数の第１アセンブリ又は１つ又は複数の第２アセンブリ又はこれらの両方によるドリルヘッド又はビットの直接的又は間接的な搬送又はハンマリング又はこれらの両方の結果として、振動することを更なる特徴とする。
【手続補正２】
【補正対象書類名】明細書
【補正対象項目名】００２９
【補正方法】変更
【補正の内容】
【００２９】
任意選択により、ギア装置は、回転駆動入力との関係において、前述の１つ又は複数の磁気アレイの中の一方のもの用の相対的に大きな又は小さな回転速度及びビット回転速度の両方又は一方を提供するか、或いは、ビット用の差動駆動力、例えば、ドリルストリング及び第１回転部材の両方又は一方に対して異なる速度を付与する。この例には、プラネタリギアシステムが含まれる。
【手続補正３】
【補正対象書類名】明細書
【補正対象項目名】００３０
【補正方法】変更
【補正の内容】
【００３０】
任意選択により、粘性結合は、前述の１つ又は複数の磁気アレイの一方のものに対して駆動力を提供する。
【手続補正４】
【補正対象書類名】特許請求の範囲
【補正対象項目名】全文
【補正方法】変更
【補正の内容】
【特許請求の範囲】
【請求項１】
ドリルストリングを具備するタイプのボーリング装置であって、前記ドリルストリング又は少なくとも前記ドリルストリングのドリルヘッド又はビット、或いは、これらの両方を回転させるべく動作可能であり、且つ、振動を軸方向において前記ドリルヘッド又はビットに提供するべく動作可能であるボーリング装置であって、
前記振動を提供するべく、振動装置が、前記ドリルストリングの一部として、又は前記ドリルストリング内に、配置されることを特徴とし、
前記振動装置は、相互に作用する磁気アレイを具備し、第１アレイ又はアレイの組（「１つ又は複数の第１アレイ」）を有する少なくとも１つのアセンブリ（「１つ又は複数の第１アセンブリ」）が存在し、且つ、第２のアレイ又はアレイの第２の組（「１つ又は複数の第２アレイ」）を有する少なくとも１つのアセンブリ（「１つ又は複数の第２アセンブリ」）が存在し、この結果、前記１つ又は複数の第１アレイ及び１つ又は複数の第２アレイは、前記１つ又は複数の第１アレイと前記１つ又は複数の第２アレイの間の相対回転に応答して相互作用し、前記１つ又は複数の第２アレイとの関係における前記１つ又は複数の第１アレイのシャトリング、又はこの逆のシャトリング、或いは、この両方のシャトリングと、従って、それらの個々の支持アセンブリのシャトリングと、を生成することを更なる特徴とし、且つ、
前記相対回転は、前記１つ又は複数の第１及び第２アセンブリの一方又は他方、或いは、前記１つ又は複数の第１及び第２アセンブリの両方に対する機械的入力によって生成可能であることを更なる特徴とし、且つ、
前記１つ又は複数の第１及び第２アレイ及びその１つ又は複数のアセンブリの少なくとも一方は、前記ドリルストリングが回転した際に、前記ドリルストリングと同期して回転運動することを更なる特徴とし、且つ、
前記ドリルヘッド又はビットは、前記１つ又は複数の第１アセンブリ又は前記１つ又は複数の第２アセンブリ又はこれらの両方による前記ドリルヘッド又はビットの直接的又は間接的な搬送又はハンマリング又はこれらの両方の結果として、振動することを更なる特徴とする装置。
【請求項２】
前記ドリルヘッド又はビットは、前記１つ又は複数の第１アセンブリによる前記ドリルヘッド又はビットの直接的又は間接的な搬送、又はハンマリング、或いは、これらの両方の結果として、振動する、請求項１に記載の装置。
【請求項３】
前記ドリルヘッド又はビットは、前記１つ又は複数の第２アセンブリによる前記ドリルヘッド又はビットの直接的又は間接的な搬送又はハンマリングの結果として振動する、請求項１に記載の装置。
【請求項４】
前記１つ又は複数の第１及び第２アレイ及びそれらの１つ又は複数の第１及び第２アセンブリは、反対方向において回転可能である、請求項１〜３のいずれか一項に記載の装置。
【請求項５】
前記１つ又は複数の第１及び第２アレイ及びそれらの１つ又は複数の第１及び第２アセンブリは、同一方向において回転可能である、請求項１〜４のいずれか一項に記載の装置。
【請求項６】
前記１つ又は複数の第１及び第２アレイ及びその１つ又は複数の第２アセンブリの一方は、前記１つ又は複数の第１及び第２アレイ及び１つ又は複数の第１及び第２アセンブリの他方が回転している際に、非回転状態であってよい、請求項１〜５のいずれか一項に記載の装置。
【請求項７】
前記振動装置は、前記回転動力源の下方から前記ドリルストリング内までのどこかに存在する、請求項１〜６のいずれか一項に記載の装置。
【請求項８】
前記第１及び第２回転可能部材の中の１つのものとしてのスピンドル内への回転駆動力が、単一方向又は双方向のハンマリングを生成する、請求項１〜７のいずれか一項に記載の装置。
【請求項９】
前記回転駆動力は、マッドモーター、流体モーター、又は電気モーターのものであるか、或いは、その他の機械的又は電気的駆動力である、請求項８に記載の装置。
【請求項１０】
前記第１及び第２回転可能部材の中の他方のものは、前記ドリルストリングによって、又はこれと共に、回転可能である、請求項８又は９に記載の装置。
【請求項１１】
ギア装置が、回転駆動入力との関係において、前記１つ又は複数の磁気アレイの中の１つのもののための相対的に大きな又は小さな回転速度及びビット回転速度の両方又は一方を提供する、請求項８に記載の装置。
【請求項１２】
粘性結合が、前記１つ又は複数の磁気アレイの中の１つのものに対して駆動力を提供する、請求項８に記載の装置。
【請求項１３】
前記ドリルストリングは、カッターを回転させ、且つ、このカッターの内部には、（ｉ）速度に関する限り、前記ドリルストリングとは異なって回転可能であり、（ｉｉ）前記ドリルストリングの前記カッターとの関係において振動可能であり、或いは、（ｉｉｉ）これらの両方が可能であるドリルヘッドが存在する、請求項１〜１２のいずれか一項に記載の装置。
【請求項１４】
前記１つ又は複数の磁気アレイは、前記ドリルストリング軸との関係において軸方向に配設される、請求項１〜１３のいずれか一項に記載の装置。
【請求項１５】
前記磁気アレイの１つのものの少なくとも１つの磁気アレイが前記他方の１つ又は複数の磁気アレイのアレイの間に介在する、請求項１４に記載の装置。